(57)【要約】【課題】  スロットからの抜き差しによるプリント配線基板とコネクタとの接続不良を大幅に低減し、信頼性を向上させる。【解決手段】  パチンコなどの遊技機に用いられるメモリカード１であって、アクリル樹脂からなるキャップ２，３の一方の長辺側における外周部近傍の内面には固定用突出部２ｂ，３ｂが形成されている。プリント配線基板４に実装されたコネクタ６の両側面には、長手方向に嵌合溝６1 が形成されている。キャップ２，３を重ね合わせてメモリカード１のケースを形成する際、コネクタ６の嵌合溝６1 がキャップ２，３の固定用突出部２ｂ，３ｂにそれぞれ嵌合して該コネクタ６を固定する。これにより、プリント配線基板４に実装されているコネクタ６が固定され、メモリカード１の挿抜時にプリント配線基板４とコネクタ６との接合部に応力がかかることを防止する。【選択図】    図２
2006178701.tif 000002
【特許請求の範囲】
【請求項１】
半導体装置が実装されたプリント配線基板と、
前記プリント配線基板の４つの側辺のうちの１つの側辺に沿って実装されたスロット接続用のコネクタと、
第１のケース体と第２のケース体とを有し、前記第１、および前記第２のケース体の３つの外周部内面が相互に接合されたケースとを備え、
前記第１、および前記第２のケースは、
前記第１、および前記第２のケースの内面に、前記コネクタに嵌合する固定用突出部をそれぞれ設け、
前記コネクタは、
前記第１、および前記第２のケースの内面にそれぞれ設けられた固定用突出部に勘合する嵌合溝を設け、
前記第１のケース体と前記第２のケース体とが接合された際に、前記固定用突出部を前記嵌合溝に嵌合させて前記コネクタを固定することを特徴とするメモリカード。
【請求項２】
請求項１記載のメモリカードにおいて、
前記半導体装置は、不揮発性半導体メモリであることを特徴とするメモリカード。
【請求項３】
請求項１または２記載のメモリカードにおいて、
前記第１、および前記第２のケース体は、透明な樹脂で形成されていることを特徴とするメモリカード。
【請求項４】
請求項１〜３のいずれか１項に記載のメモリカードにおいて、
前記コネクタの嵌合溝は、
前記コネクタの長手方向に、前記コネクタの一方の端部から他方の端部まで形成され、
前記固定用突出部は、
前記嵌合溝に対応して勘合するように形成されたことを特徴とするメモリカード。
【発明の詳細な説明】
【技術分野】
【０００１】
本発明は、メモリカードの信頼性向上技術に関し、特に、パチンコなどの遊技機に用いられるメモリカードの接続不良の防止に有効な技術に関する。
【背景技術】
【０００２】
遊技機として、たとえば、パチンコが広く知られている。一般に、パチンコでは、遊戯進行に伴うディスプレイへの映像表示に用いられるソフトウェアなどを記憶する半導体メモリに、フラッシュメモリなどの不揮発性半導体メモリが用いられている。
【０００３】
また、フラッシュメモリは、耐塵性や耐振動性などを考慮し、たとえば、ＩＣソケットなどを介してパチンコ内部に設けられた電子システムのプリント配線基板に実装されている。
【発明の開示】
【発明が解決しようとする課題】
【０００４】
ところが、上記のようなパチンコなどの遊技機におけるフラッシュメモリの実装技術では、次のような問題点があることが本発明者により見い出された。
【０００５】
遊技機の多様性化、拡張化が進むに伴い、該遊技機の高度な演出が広く望まれており、視覚的な演出の向上を実現するために遊技機のディスプレイに表示される映像表示に用いられるソフトウェアが大容量化する傾向にある。
【０００６】
それにより、使用されるフラッシュメモリ数が増加する傾向にある。前述したように、フラッシュメモリは、ＩＣソケットを介してプリント配線基板に実装されているために、実装面積が非常に大きくなってしまうとともに、実装に伴うコストが大きくかかってしまうという問題がある。
【０００７】
本発明者が検討したところによれば、フラッシュメモリをカード化し、メモリカードとすることによって、高密度実装化、データの大容量化、および実装コストの低減を図ることができる。
【０００８】
メモリカードとして、たとえば、ＣＦ（Ｃｏｍｐａｃｔ  Ｆｌａｓｈ（Ｒ））カードなどのパーソナルコンピュータや多機能端末機などの外部記憶メディアが広く知られている。このＣＦカードの場合、たとえば、上蓋、および下蓋となるキャップとフラッシュメモリなどが実装されたプリント配線基板とコネクタとから構成されている。
【０００９】
プリント配線基板のある辺近傍には、コネクタが接続されている。このコネクタは、メモリスロットのコネクタと接続される。そして、上蓋、および下蓋となるキャップは、コネクタを挟み込むように接着されている。
【００１０】
コネクタは、先端部（メモリスロット側）が末広がりになるように形成されており、該コネクタの両端部には、上蓋、および下蓋となるキャップに係合する突出部が設けられている。
【００１１】
そして、ＣＦカードがスロットから取り外される際には、上蓋、および下蓋となるキャップがコネクタの突出部を受け止めることによって該コネクタにかかる応力を軽減し、ＣＦカードがスロットに装着される際には、末広がりに形成されたコネクタの先端部がキャップに圧接することによってコネクタにかかる応力を分散させ、コネクタとプリント配線基板との接触不良などを低減させる構成となっている。
【００１２】
前記したＣＦカードでは、キャップが金属製であるので充分な強度を保つことができるが、パチンコなどの遊技機にメモリカードを用いる場合には、法規上の関係から、プリント配線基板に実装されるフラッシュメモリが目視できるようにキャップをプラスティックなどの透明の素材によって形成しなければならない制約がある。
【００１３】
よって、遊技機に用いるメモリカードをＣＦカードの構造と同様にした場合、キャップの強度が不足することになり、該メモリカードの挿抜によってコネクタに大きな応力がかかってしまい、プリント配線基板とコネクタとの接続不良などが発生してしまう恐れがある。
【００１４】
本発明の目的は、スロットからの抜き差しによるプリント配線基板とコネクタとの接続不良を大幅に低減し、信頼性を向上させることのできるメモリカードを提供することにある。
【００１５】
本発明の前記ならびにそのほかの目的と新規な特徴については、本明細書の記述および添付図面から明らかになるであろう。
【課題を解決するための手段】
【００１６】
本願において開示される発明のうち、代表的なものの概要を簡単に説明すれば、次のとおりである。
【００１７】
本発明によるメモリカードは、半導体装置が実装されたプリント配線基板と、該プリント配線基板の４つの側辺のうちの１つの側辺に沿って実装されたスロット接続用のコネクタと、第１のケース体と第２のケース体とを有し、それら第１、および第２のケース体の３つの外周部内面が相互に接合されたケースとを備え、第１、および第２のケースは、該第１、および第２のケースの内面にコネクタに嵌合する固定用突出部をそれぞれ設け、該コネクタは、第１、および第２のケースの内面にそれぞれ設けられた固定用突出部に勘合する嵌合溝を設け、第１のケース体と第２のケース体とが接合された際に、固定用突出部を嵌合溝に嵌合させてコネクタを固定するものである。
【００１８】
また、本願のその他の発明の概要を簡単に示す。
【００１９】
本発明のメモリカードは、前記半導体装置が不揮発性半導体メモリよりなるものである。
【００２０】
また、本発明のメモリカードは、前記第１、および第２のケース体が透明な樹脂で形成されているものである。
【００２１】
さらに、本発明のメモリカードは、前記コネクタの嵌合溝がコネクタの長手方向に、コネクタの一方の端部から他方の端部まで形成され、前記固定用突出部は、嵌合溝に対応して勘合するように形成されたものである。
【発明の効果】
【００２２】
本願において開示される発明のうち、代表的なものによって得られる効果を簡単に説明すれば以下のとおりである。
【００２３】
（１）メモリカードの挿抜時に、プリント配線基板に応力がかからなくなるので、該プリント配線基板とコネクタとの接触不良を防止することができる。
【００２４】
（２）上記（１）により、メモリカードの信頼性を大幅に向上させることができる。
【発明を実施するための最良の形態】
【００２５】
以下、本発明の実施の形態を図面に基づいて詳細に説明する。なお、実施の形態を説明するための全図において、同一の部材には原則として同一の符号を付し、その繰り返しの説明は省略する。
【００２６】
図１は、本発明の一実施の形態によるメモリカードの平面図、図２は、図１に示すメモリカードの断面図、図３は、図１に示すメモリカードのケース形成時における説明図である。
【００２７】
メモリカード１は、パチンコなどの遊技機におけるディスプレイへの映像表示に用いられるデータを記憶する。メモリカード１は、たとえば、縦約３５．０ｍｍ程度×横約５６．０ｍｍ程度×厚さ約３．０ｍｍ程度の長方形状のカードからなる。
【００２８】
このメモリカード１は、図１、および図２に示すように、キャップ（第１のケース体）２、キャップ（第２のケース体）３、およびプリント配線基板４から構成されている。
【００２９】
キャップ２，３は、たとえば、透明なアクリル樹脂からなる。これらキャップ２，３における３辺の外周部内面には、外周突き当て部２ａ，３ａがそれぞれ形成されており、該キャップ２，３の残りの一辺における外周部近傍の内面には、固定用突出部２ｂ，３ｂが形成されている。
【００３０】
また、キャップ２の短辺側の端部には、前記したキャップ２の残りの一辺に回り込むように突出部２ｃが形成されている。また、キャップ３の短辺側の端部にも同様にキャップ３の残りの一辺に回り込むように突出部が形成されている。そして、キャップ２，３を接合することによってメモリカード１のケースが形成される。
【００３１】
このケースには、ガラスエポキシ基板などからなるプリント配線基板４が内設されている。プリント配線基板４は、長方形状の両面実装基板からなり、該プリント配線基板４の一方の長辺側には、長方形状のコネクタ６が実装されている。
【００３２】
このコネクタ６は、遊技機に設けられたホスト機器となる電子システムに備えられたプリント配線基板に実装されたメモリスロット（たとえば、１２０ピン程度）に対応した形状となっている。
【００３３】
そして、このコネクタ６の電極とメモリスロットの電極とが電気的に接続してメモリカード１とホスト機器とのデータのやり取りが行われる。
【００３４】
電子システムに備えられたメモリスロットには、たとえば、オスピンが設けられており、該スロットに対応するコネクタ６は、メスピン構造からなる。メモリカード１は、たとえば、電子システムに備えられたプリント配線基板に対して垂直となるようメモリスロットに装着される。
【００３５】
プリント配線基板４の一方の実装面には、上下２列に８個のフラッシュメモリ（半導体装置、不揮発性半導体メモリ）５がそれぞれ等間隔で実装されている。同様に、プリント配線基板４の他方の実装面にも上下２列に８個のフラッシュメモリがそれぞれ等間隔で実装されている。
【００３６】
前述したように、キャップ２，３は、透明のアクリル樹脂などからなるので、プリント配線基板４に実装された１６個のフラッシュメモリ５は、該キャップ２，３が取り付けられた状態で目視することができる。
【００３７】
また、コネクタ６には、ケースとなるベース６ａが設けられており、そのベース６ａの内部には、スロットのオスピンに対応する位置に複数のメスピンが埋め込まれている。
【００３８】
ベース６ａは、たとえば、ＬＣＰ（液晶ポリエステル）樹脂からなり、該ベース６ａにおける両側面には、長手方向に固定用突出部２ｂ，３ｂに嵌合する嵌合溝６1 がそれぞれ形成されている。この嵌合溝は、たとえば、コネクタ６の長手方向に、該コネクタ６の一方の端部から他方の端部まで連続して形成されている。
【００３９】
キャップ２，３によってメモリカード１のケースを形成する際には、図３に示すように、キャップ２，３の外周突き当て部２ａ，３ａをそれぞれ重ね合わせ、たとえば、超音波による融着（または接着剤）などによって接合する。
【００４０】
そして、キャップ２，３の外周突き当て部２ａ，３ａがそれぞれ重ね合わされた際に、コネクタ６の嵌合溝６1 がキャップ２，３の固定用突出部２ｂ，３ｂにそれぞれ嵌合して該コネクタ６を固定するとともに、該キャップ２，３にそれぞれ形成された突出部２ｃ，がコネクタ６の両端部と勘合することによって該コネクタの左右のずれを低減する構造となっている。
【００４１】
このように、プリント配線基板４に実装されているコネクタ６のみがキャップ２，３によって固定された状態となっており、該プリント配線基板４は固定されていない構成となる。
【００４２】
次に、本実施の形態におけるメモリカード１に形成された固定用突出部２ｂ，３ｂの作用について説明する。
【００４３】
電子システムに備えられたメモリスロットからメモリカード１を挿抜する際には、そのときの力が該メモリカード１のコネクタ６にすべてかかることになるが、その応力は、コネクタ６の嵌合溝６1 に嵌合した固定用突出部２ｂ，３ｂが受けることになる。
【００４４】
これによって、金属などよりも強度が劣るアクリル樹脂からなるキャップ２，３であってもコネクタ６を確実に固定することができ、メモリカード１の挿抜時において、プリント配線基板４とコネクタ６との接合部に応力がかかることを防止することができる。
【００４５】
それにより、本実施の形態においては、コネクタ６を確実に固定することができるので、メモリカード１の挿抜に起因するプリント配線基板４とコネクタ６との接触不良を防止することが可能となり、該メモリカード１の信頼性を向上させることができる。
【００４６】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００４７】
たとえば、前記実施の形態では、コネクタがメスピン構造で、電子システムに備えられたメモリスロットがオスピン構造の場合について記載したが、メモリカードに設けられるコネクタをオスピン構造としてもよい。
【００４８】
図４は、コネクタ６がメスピン構造からなるメモリカード１の一部断面図であり、図５は、コネクタ６がメスピン構造からなるメモリカード１の一部平面図を示したものである。
【００４９】
この場合、コネクタ６は、たとえば、ＬＣＰ（液晶ポリエステル）樹脂からなるベース６ｂから複数のオスピン（ピンヘッダ）６ｃが突出するように形成されており、該オスピン６ｃが、メモリスロットに形成されているメスピンに接合する構成となる。
【００５０】
コネクタ６には、前記実施の形態１と同様に、ベース６ｂの両側面において長手方向に固定用突出部２ｂ，３ｂに嵌合する嵌合溝６2 がそれぞれ形成されている。
【００５１】
また、キャップ２，３の構造については、前記実施の形態１（図１、図２）と同様であるので説明は省略する。
【００５２】
そして、メモリカード１のケースを形成する際には、キャップ２，３の外周突き当て部２ａ，３ａをそれぞれ重ね合わせ、たとえば、超音波による融着（または接着剤）などによって接合する。
【００５３】
その際に、コネクタ６の嵌合溝６2 がキャップ２，３の固定用突出部２ｂ，３ｂ（図１、図２）にそれぞれ嵌合するので、該コネクタ６を確実に固定することができる。
【００５４】
それにより、メモリカード１の挿抜時におけるプリント配線基板４とコネクタ６との接触不良を防止することが可能となり、該メモリカード１の信頼性を向上させることができる。
【００５５】
また、前記実施の形態においては、コネクタに嵌合溝を設け、キャップに固定用突出部を設けた構成としたが、たとえば、コネクタに固定用突出部を設け、キャップに該コネクタに形成された固定用突出部に対応する嵌合溝を形成した構成としてもよい。
【００５６】
その場合、キャップに嵌合溝を設けることによって、該嵌合溝が形成された箇所のキャップの板厚が薄くなり、所望する強度が保てない恐れがある。よって、所望する強度が得られるようにキャップの板厚を調整するようにする。
【産業上の利用可能性】
【００５７】
本発明は、たとえば、パチンコなどの遊技機に用いられる透明樹脂によってケースが形成されたメモリカードの信頼性向上技術に適している。
【図面の簡単な説明】
【００５８】
【図１】本発明の一実施の形態によるメモリカードの平面図である。
【図２】図１のメモリカードの断面図である。
【図３】図１のメモリカードのケース形成時における説明図である。
【図４】本発明の他の実施の形態によるメモリカードの一部断面図である。
【図５】図４に示すメモリカードの一部平面図である。
【符号の説明】
【００５９】
１  メモリカード
２  キャップ（第１のケース体）
２ａ  外周突き当て部
２ｂ  固定用突出部
２ｃ  突出部
３  キャップ（第２のケース体）
３ａ  外周突き当て部
３ｂ  固定用突出部
４  プリント配線基板
５  フラッシュメモリ（半導体装置、不揮発性半導体メモリ）
６  コネクタ
６ａ，６ｂ  ベース
６ｃ  オスピン
６1   嵌合溝
６2   嵌合溝
【図１】
2006178701.tif 000003
【図２】
2006178701.tif 000004
【図３】
2006178701.tif 000005
【図４】
2006178701.tif 000006
【図５】
2006178701.tif 000007